(57)【要約】  追記型ディスクにデータを記録する装置、記録方法及びその追記型ディスクが開示される。本発明による追記型ディスクは、アップデートされる所定類型の情報が記録される複数個のアップデート領域と、複数個のアップデート領域のうち、最終的にアップデートされた情報が記録された最終アップデート領域を示すためのメイン接近情報が記録される少なくとも１つのメイン接近情報領域と、最終的にアップデートされた情報が前記最終アップデート領域のどの位置に記録されたかを示すための補助接近情報が記録される少なくとも１つの補助接近情報領域とを備え、メイン接近情報は、１つの記録ブロックに反復して記録されたことを特徴とする。本発明によれば、追記型ディスクの使用に必要な所定類型の情報を読み出すための接近時間をさらに短縮できる。
2007522601.tif 000002
【特許請求の範囲】
【請求項１】
追記型ディスクにおいて、
アップデートされる所定類型の情報が記録される複数個のアップデート領域と、
前記複数個のアップデート領域のうち、最終的にアップデートされた情報が記録された最終アップデート領域を示すためのメイン接近情報が記録される少なくとも１つのメイン接近情報領域と、
前記最終的にアップデートされた情報が前記最終アップデート領域のどの位置に記録されたかを示すための補助接近情報が記録される少なくとも１つの補助接近情報領域とを備え、
前記メイン接近情報は、１つの記録ブロックに反復して記録されたことを特徴とする追記型ディスク。
【請求項２】
前記メイン接近情報は、１セクタ単位のサイズを有し、前記メイン接近情報は、セクタ単位のエラー訂正の可能な所定のエラー訂正フォーマットによってエラー訂正符号化されたことを特徴とする請求項１に記載の追記型ディスク。
【請求項３】
前記補助接近情報は、１つの記録ブロックに反復して記録されたことを特徴とする請求項１に記載の追記型ディスク。
【請求項４】
前記メイン接近情報は、前記各アップデート領域の位置情報を含み、
前記メイン接近情報は、最終的にアップデートされた情報が記録されたアップデート領域が変更される場合だけにアップデートされることを特徴とする請求項１に記載の追記型ディスク。
【請求項５】
前記メイン接近情報は、１つの記録ブロックに記録されることにより、前記メイン接近情報領域に含まれた記録ブロックのうち、メイン接近情報が記録されたブロックの個数を利用し、前記最終アップデート領域を示すことを特徴とする請求項１に記載の追記型ディスク。
【請求項６】
前記最終アップデート領域が複数のサブ領域に分割された場合、前記補助接近情報は、最終的にアップデートされた情報が記録されたサブ領域が変更される場合だけにアップデートされることを特徴とする請求項１に記載の追記型ディスク。
【請求項７】
前記補助接近情報は、１つの記録ブロックに記録されることにより、前記補助接近情報領域に含まれた記録ブロックのうち、補助接近情報が記録されたブロックの個数を利用し、最終的にアップデートされた情報が記録されたサブ領域を示すことを特徴とする請求項１に記載の追記型ディスク。
【請求項８】
追記型ディスクにおいて、
アップデートされる所定類型の情報が記録される複数個のアップデート領域と、
前記複数個のアップデート領域のうち、最終的にアップデートされた情報が記録された最終アップデート領域を示す接近情報が記録される少なくとも１つの接近情報領域とを備え、
前記接近情報は、前記各アップデート領域の位置情報、前記最終アップデート領域を示す第１フラグ情報、及び前記最終的にアップデートされた情報が前記最終アップデート領域のどの位置に記録されたかを示す第２フラグ情報を含み、前記接近情報は、１つの記録ブロックに反復して記録されたことを特徴とする追記型ディスク。
【請求項９】
前記接近情報は、１セクタ単位のサイズを有し、前記接近情報は、セクタ単位のエラー訂正の可能な所定のエラー訂正フォーマットによってエラー訂正符号化されたことを特徴とする請求項８に記載の追記型ディスク。
【請求項１０】
前記最終アップデート領域が複数のサブ領域に分割された場合、前記第２フラグ情報は、最終的にアップデートされた情報が記録されたサブ領域を示す情報であることを特徴とする請求項８に記載の追記型ディスク。
【請求項１１】
前記接近情報は、最終的にアップデートされた情報が記録されたアップデート領域またはサブ領域が変更される場合だけにアップデートされることを特徴とする請求項１０に記載の追記型ディスク。
【請求項１２】
追記型ディスクにデータを記録する装置において、
前記追記型ディスクに／から情報の記録／情報の読み出しを行う記録／読み出し部と、
前記追記型ディスクに設けられた複数のアップデート領域のうち一つに、最終的にアップデートされた所定類型の情報を記録し、前記最終的にアップデートされた所定類型の情報が記録された最終アップデート領域を示すために、メイン接近情報を前記追記型ディスクに少なくとも一つ設けられたメイン接近情報領域に記録し、前記最終的にアップデートされた情報が前記最終アップデート領域のどの位置に記録されたかを示すために、補助接近情報を前記追記型ディスクに少なくとも一つ設けられた補助接近情報領域に記録するように、前記記録／読み出し部を制御する制御部とを備え、前記制御部は、前記メイン接近情報を１つの記録ブロックに反復して記録するように、前記記録／読み出し部を制御することを特徴とする装置。
【請求項１３】
前記制御部は、セクタ単位のエラー訂正の可能な所定のエラー訂正フォーマットにより、前記メイン接近情報をエラー訂正符号化することを特徴とする請求項１２に記載の装置。
【請求項１４】
前記制御部は、前記補助接近情報を１つの記録ブロックに反復して記録するように、前記記録／読み出し部を制御することを特徴とする請求項１２に記載の装置。
【請求項１５】
前記制御部は、前記最終的にアップデートされた情報が記録されたアップデート領域が変更される場合だけに前記メイン接近情報を記録するように、前記記録／読み出し部を制御することを特徴とする請求項１２に記載の装置。
【請求項１６】
前記制御部は、前記メイン接近情報領域に含まれた記録ブロックのうち、メイン接近情報が記録されたブロックの個数を利用し、前記最終アップデート領域を示すために、前記メイン接近情報を１つの記録ブロックに記録するように、前記記録／読み出し部を制御することを特徴とする請求項１２に記載の装置。
【請求項１７】
前記制御部は、前記最終アップデート領域が複数のサブ領域に分割された場合、前記最終的にアップデートされた情報が記録されたサブ領域が変更される場合だけ、前記補助接近情報を記録するように、前記記録／読み出し部を制御することを特徴とする請求項１２に記載の装置。
【請求項１８】
前記制御部は、前記補助接近情報領域に含まれた記録ブロックのうち、補助接近情報が記録されたブロックの個数を利用し、最終的にアップデートされた情報が記録されたサブ領域を示すために、前記補助接近情報を１つの記録ブロックに記録するように、前記記録／読み出し部を制御することを特徴とする請求項１２に記載の装置。
【請求項１９】
追記型ディスクにデータを記録する装置において、
前記追記型ディスクに／から情報の記録／情報の読み出しを行う記録／読み出し部と、
前記追記型ディスクに設けられた複数のアップデート領域のうち一つに、最終的にアップデートされた所定類型の情報を記録し、前記最終的にアップデートされた所定類型の情報が記録された最終アップデート領域を示す接近情報を、前記追記型ディスクに少なくとも一つ設けられた接近情報領域に記録するように、前記記録／読み出し部を制御する制御部とを備え、前記接近情報は、前記各アップデート領域の位置情報、前記最終アップデート領域を示す第１フラグ情報、及び前記最終的にアップデートされた情報が前記最終アップデート領域のどの位置に記録されたかを示す第２フラグ情報を含み、前記制御部は、前記接近情報を１つの記録ブロックに反復して記録するように、前記記録／読み出し部を制御することを特徴とする装置。
【請求項２０】
前記制御部は、セクタ単位のエラー訂正の可能な所定のエラー訂正フォーマットにより、前記メイン接近情報をエラー訂正符号化することを特徴とする請求項１９に記載の装置。
【請求項２１】
前記最終アップデート領域が複数のサブ領域に分割された場合、前記第２フラグ情報は、最終的にアップデートされた情報が記録されたサブ領域を示す情報であることを特徴とする請求項１９に記載の装置。
【請求項２２】
前記制御部は、
前記最終的にアップデートされた情報が記録されたアップデート領域またはサブ領域が変更される場合だけ、前記接近情報を記録するように、前記記録／読み出し部を制御することを特徴とする請求項２１に記載の装置。
【請求項２３】
追記型ディスクへのデータ記録方法において、
前記追記型ディスクに設けられた複数のアップデート領域のうち一つに、最終的にアップデートされた所定類型の情報を記録する段階と、
前記最終的にアップデートされた所定類型の情報が記録された最終アップデート領域を示すために、メイン接近情報を前記追記型ディスクに少なくとも一つ設けられたメイン接近情報領域に記録する段階と、
前記最終的にアップデートされた情報が前記最終アップデート領域のどの位置に記録されたかを示すために、補助接近情報を前記追記型ディスクに少なくとも一つ設けられた補助接近情報領域に記録する段階とを含み、
前記メイン接近情報を記録する段階は、前記メイン接近情報を１つの記録ブロックに反復して記録することを特徴とする方法。
【請求項２４】
前記メイン接近情報は、１セクタに該当するサイズを有し、セクタ単位のエラー訂正の可能な所定のエラー訂正フォーマットにより、前記メイン接近情報をエラー訂正符号化する段階を含むことを特徴とする請求項２３に記載の方法。
【請求項２５】
前記補助接近情報を記録する段階は、前記補助接近情報を１つの記録ブロックに反復して記録することを特徴とする請求項２３に記載の方法。
【請求項２６】
前記メイン接近情報を記録する段階は、
前記最終的にアップデートされた情報が記録されたアップデート領域が変更される場合だけ、前記メイン接近情報を記録し、前記メイン接近情報は、前記各アップデート領域の位置情報を含むことを特徴とする請求項２３に記載の方法。
【請求項２７】
前記メイン接近情報を記録する段階は、
前記メイン接近情報領域に前記メイン接近情報を１つの記録ブロックに記録することにより、前記メイン接近情報領域に含まれた記録ブロックのうち、メイン接近情報が記録されたブロックの個数を利用し、前記最終アップデート領域を示すことを特徴とする請求項２６に記載の方法。
【請求項２８】
前記補助接近情報を記録する段階は、
前記最終アップデート領域が複数のサブ領域に分割された場合、前記最終的にアップデートされた情報が記録されたサブ領域が変更される場合だけ、前記補助接近情報を記録することを特徴とする請求項２３に記載の方法。
【請求項２９】
前記補助接近情報を記録する段階は、
前記補助接近領域に前記補助接近情報を１つの記録ブロックに記録することにより、前記補助接近情報領域に含まれた記録ブロックのうち、補助接近情報が記録されたブロックの個数を利用し、最終的にアップデートされた情報が記録されたサブ領域を示すことを特徴とする請求項２８に記載の方法。
【請求項３０】
追記型ディスクへのデータ記録方法において、
前記追記型ディスクに設けられた複数のアップデート領域のうち一つに、最終的にアップデートされた所定類型の情報を記録する段階と、
前記最終的にアップデートされた所定類型の情報が記録された最終アップデート領域を示す接近情報を、前記追記型ディスクに少なくとも一つ設けられた接近情報領域に記録する段階とを含み、前記接近情報は、前記各アップデート領域の位置情報、前記最終アップデート領域を示す第１フラグ情報、及び前記最終的にアップデートされた情報が前記最終アップデート領域のどの位置に記録されたかを示す第２フラグ情報を含み、
前記接近情報を記録する段階は、前記接近情報を１つの記録ブロックに反復して記録することを特徴とする方法。
【請求項３１】
前記接近情報は、１セクタに該当するサイズを有し、セクタ単位のエラー訂正の可能な所定のエラー訂正フォーマットにより、前記接近情報をエラー訂正符号化する段階を含むことを特徴とする請求項３０に記載の方法。
【請求項３２】
前記最終アップデート領域が複数のサブ領域に分割された場合、前記第２フラグ情報は、最終的にアップデートされた情報が記録されたサブ領域を示す情報であることを特徴とする請求項３０に記載の方法。
【請求項３３】
前記接近情報を記録する段階は、
前記最終的にアップデートされた情報が記録されたアップデート領域またはサブ領域が変更される場合だけ、前記接近情報を記録することを特徴とする請求項３０に記載の方法。
【請求項３４】
所定順序によって使われる複数のアップデート領域、及び少なくとも１つの接近情報領域を具備した追記型ディスクへのデータ記録方法において、
前記複数のアップデート領域のうち１つの領域に、アップデートされた所定類型の情報を記録する段階と、
前記複数のアップデート領域の位置情報を含む接近情報を、前記接近情報領域に記録ブロック単位で記録することにより、前記接近情報が記録された記録ブロックの個数を利用し、前記複数のアップデート領域のうち、最終的にアップデートされた前記所定類型の情報の記録された最終アップデート領域を示す段階とを含み、
前記最終アップデート領域を示す段階は、前記接近情報を１つの記録ブロックに反復して記録することを特徴とする方法。
【請求項３５】
前記最終アップデート領域を示す段階は、セクタ単位のエラー訂正の可能な所定のエラー訂正フォーマットにより、前記接近情報をエラー訂正符号化する段階とを含むことを特徴とする請求項３４に記載の方法。
【請求項３６】
前記最終アップデート領域を示す段階は、
前記複数個のアップデート領域のうち１つのアップデート領域に最初に前記アップデートされた所定類型の情報を記録する場合だけ、前記接近情報を記録することを特徴とする請求項３４に記載の方法。
【請求項３７】
前記アップデートされる所定類型の情報は、前記複数個のアップデート領域の位置情報を含む臨時ディスク管理情報であり、前記接近情報として前記臨時ディスク管理情報が前記接近情報領域に記録されることを特徴とする請求項３４に記載の方法。
【請求項３８】
所定順序によって使われる複数のアップデート領域、及び少なくとも１つの接近情報領域を具備した追記型ディスクへのデータ記録装置において、
前記追記型ディスクに／から情報の記録／情報の読み出しを行う記録／読み出し部と、
前記複数のアップデート領域のうち１つの領域に、アップデートされた所定類型の情報を記録し、前記複数のアップデート領域の位置情報を含む接近情報を、前記接近情報領域に記録ブロック単位で記録するように前記記録／読み出し部を制御し、前記接近情報が記録された記録ブロックの個数を利用し、前記複数のアップデート領域のうち、最終的にアップデートされた前記所定類型の情報が記録された最終アップデート領域を示す制御部とを備え、
前記制御部は、前記接近情報を１つの記録ブロックに反復して記録するように、前記記録／読み出し部を制御することを特徴とする装置。
【請求項３９】
前記制御部は、セクタ単位のエラー訂正の可能な所定のエラー訂正フォーマットにより、前記メイン接近情報をエラー訂正符号化することを特徴とする請求項３８に記載の装置。
【請求項４０】
前記制御部は、前記複数個のアップデート領域のうち１つのアップデート領域に最初に前記アップデートされた所定類型の情報を記録する場合だけ、前記接近情報を記録するように、前記記録／読み出し部を制御することを特徴とする請求項３８に記載の装置。
【請求項４１】
前記アップデートされる所定類型の情報は、前記複数個のアップデート領域の位置情報を含む臨時ディスク管理情報であり、前記接近情報として前記臨時ディスク管理情報が前記接近情報領域に記録されることを特徴とする請求項３８に記載の装置。
【請求項４２】
少なくとも１つの記録層を具備した追記型ディスクにおいて、
所定順序によって使われ、アップデートされる所定類型の情報が記録される複数個のアップデート領域と、
前記複数個のアップデート領域の位置情報を含む接近情報が記録ブロック単位で記録される少なくとも１つの接近情報領域とを備え、
前記接近情報が記録された記録ブロックの個数を利用し、前記複数のアップデート領域のうち、最終的にアップデートされた前記所定類型の情報が記録された最終アップデート領域を表し、
前記接近情報は、１つの記録ブロックに反復して記録されたことを特徴とする追記型ディスク。
【請求項４３】
前記接近情報は、１セクタ単位のサイズを有し、前記接近情報は、セクタ単位のエラー訂正の可能な所定のエラー訂正フォーマットによってエラー訂正符号化されたことを特徴とする請求項４２に記載の追記型ディスク。
【請求項４４】
前記接近情報は、前記複数個のアップデート領域のうち１つのアップデート領域に最初に前記アップデートされた所定類型の情報が記録された場合だけ、前記接近情報領域に記録されることを特徴とする請求項４２に記載の追記型ディスク。
【請求項４５】
前記アップデートされる所定類型の情報は、前記複数個のアップデート領域の位置情報を含む臨時ディスク管理情報であり、前記接近情報として前記臨時ディスク管理情報が前記接近情報領域に記録されたことを特徴とする請求項４２に記載の追記型ディスク。
【請求項４６】
追記型ディスクにおいて、
アップデートされた情報が記録される複数個のアップデート領域と、
前記複数のアップデート領域のうち、最終的にアップデートされた情報が記録された最終アップデート領域を示すメイン接近情報を記録するための少なくとも１つのメイン接近情報領域と、
前記最終アップデート領域に記録される前記最終的にアップデートされた情報の位置を示す補助接近情報を記録する少なくとも１つの補助接近情報領域とを備えることを特徴とする追記型ディスク。
【請求項４７】
前記最終アップデート領域を前記メイン接近情報のエントリーの個数によって示すように、少なくとも１つのメイン接近情報領域に前記メイン接近情報が記録されることを特徴とする請求項４６に記載の追記型ディスク。
【請求項４８】
前記複数個のアップデート領域は、単一記録層上に提供されることを特徴とする請求項４６に記載の追記型ディスク。
【請求項４９】
前記複数のアップデート領域は、二重記録層上に提供されることを特徴とする請求項４６に記載の追記型ディスク。
【請求項５０】
追記型ディスクに／から情報の記録／情報の読み出しを行う記録／読み出し部と、
前記追記型ディスクに割り当てられた複数個のアップデート領域のうち一つに、最終的にアップデートされた情報を記録し、
前記最終的にアップデートされた情報が記録される最終アップデート領域を示すために、前記追記型ディスクに割り当てられた少なくとも１つのメイン接近情報領域にメイン接近情報を記録し、
前記最終アップデート領域に記録された前記最終的にアップデートされた情報の位置を示すために、前記追記型ディスクに割り当てられた少なくとも１つの補助メイン接近情報領域に前記補助接近情報を記録するように、前記記録／読み出し部を制御する制御部とを備えることを特徴とするデータ記録装置。
【請求項５１】
前記制御部は、前記最終アップデート領域を前記メイン接近領域のエントリーの個数によって示すように、前記メイン接近情報を記録するために前記記録／読み出し部を制御することを特徴とする請求項５０に記載のデータ記録装置。
【請求項５２】
追記型ディスクにデータを記録する方法において、
前記追記型ディスクに割り当てられた複数個のアップデート領域のうち一つに、最終的にアップデートされた情報を記録する段階と、
前記最終的にアップデートされた情報が記録される最終アップデート領域を示すために、前記追記型ディスクに割り当てられた少なくとも１つのメイン接近情報領域にメイン接近情報を記録する段階と、
前記最終アップデート領域に記録された前記最終的にアップデートされた情報の位置を示すために、前記追記型ディスクに割り当てられた少なくとも１つの補助メイン接近情報領域に前記補助接近情報を記録する段階とを含むことを特徴とする方法。
【請求項５３】
前記メイン接近情報は、前記最終アップデート領域が前記メイン接近情報のエントリーの個数によって表示されるように記録されることを特徴とする請求項５２に記載の方法。
【請求項５４】
追記型ディスクにおいて、
アップデート情報を記録するためのアップデート領域であり、前記アップデート領域に関する位置情報が臨時ディスク管理情報に記録される複数個のアップデート領域と、
前記臨時ディスク管理情報が記録されるメイン接近情報領域とを備え、
最終的に記録されたアップデート情報が記録されるアップデート領域は、臨時ディスク管理情報がメイン接近情報領域に記録される記録単位ブロックの個数によって決定されることを特徴とする追記型ディスク。
【発明の詳細な説明】
【技術分野】
【０００１】
本発明は、追記型ディスクに係り、さらに詳細には、追記型ディスクの使用のために必要な情報にさらに速く接近（アクセス）できる追記型ディスクへのデータ記録装置、記録方法、及びその追記型ディスクに関する。
【背景技術】
【０００２】
書き換え可能型ディスクの場合、すでに情報が記録された部分に新しい情報を上書きして記録可能である。しかし、追記型ディスクの場合には、情報を一度記録すれば、再び消して使えないために、すでに記録された情報をアップデートするためには、新しい位置を割り当てて記録しなければならない。
【０００３】
実際、アップデートされる情報は、最終的にアップデートされた情報だけ有意味である場合がほとんどである。従って、アップデート領域がデータ領域に割り当てられ、データ記録及び／または再生装置は、最後にアップデートされた情報を読み出すために、アップデートされた情報が記録された領域をサーチし、最後にアップデートされた情報を捜し出す。さらに、サーチしなければならない領域に多くの情報が記録されているならば、所望の情報を得るのに長時間がかかってしまう。
【０００４】
一方、記録及び／または再生装置により欠陥管理が行われる追記型ディスクの場合、追記型ディスクの使用中に発生した欠陥に対する欠陥管理のための情報と、追記型ディスクの記録状態などを示す情報とを記録するための領域が設けられる。追記型ディスクの特性上、欠陥管理に関する情報などのアップデートが要求されれば、書き換え可能ディスクとは異なり、アップデートされた情報を既存の情報が記録された位置に上書きして記録できないために、データが記録されていない空き位置にアップデートされた情報を記録しなければならないので、比較的広いアップデート領域を必要とする。一般的に、アップデート領域は、リードイン領域やリードアウト領域に割り当てられるが、時にはそのアップデート回数を増やすために、ユーザの選択によってデータ領域にも割り当てられる。
【０００５】
追記型ディスクの使用のために必要な最終的なアップデート情報がデータ領域に割り当てられたアップデート領域に記録されており、その最終的なアップデート情報にデータ領域にアップデート領域が割り当てられたという情報と、そのアップデート領域の位置情報とが含まれた場合、データ記録及び／または再生装置は、リードイン領域またはリードアウト領域に設けられたアップデート領域を全てサーチしても、最後にアップデートされた情報を得られず、最後にアップデートされた情報がどこに記録されているかが分からないという問題がある。
【０００６】
さらに、記録及び／または再生装置がデータ領域に割り当てられたアップデート領域に最終的なアップデート情報が記録されたということを知っていても、そのアップデート領域のサイズが大きければ、そのアップデート領域に記録された最終的なアップデート情報をサーチするのに長時間がかかってしまうこともある。
【発明の開示】
【発明が解決しようとする課題】
【０００７】
本発明が解決しようとする技術的課題は、追記型ディスクの使用のために必要なアップデートされた情報を読み出すための接近時間をさらに短縮させる接近情報が、所定方式によってエラー訂正符号化されて反復記録された追記型ディスクを提供するところにある。
【０００８】
本発明が解決しようとする他の技術的課題は、追記型ディスクの使用のために必要なアップデートされた情報を読み出すための接近時間をさらに短縮できるデータ記録装置、及びその方法を提供するところにある。
【課題を解決するための手段】
【０００９】
前記課題をなすために、本発明の一側面による追記型ディスクは、アップデートされる所定類型の情報が記録される複数個のアップデート領域と、前記複数個のアップデート領域のうち、最終的にアップデートされた情報が記録された最終アップデート領域を示すためのメイン接近情報が記録される少なくとも１つのメイン接近情報領域と、前記最終的にアップデートされた情報が前記最終アップデート領域のどの位置に記録されたかを示すための補助接近情報が記録される少なくとも１つの補助接近情報領域とを備え、前記メイン接近情報は、１つの記録ブロックに反復して記録されたことを特徴とする。
【００１０】
前記課題をなすために、本発明の他の側面による追記型ディスクは、アップデートされる所定類型の情報が記録される複数個のアップデート領域と、前記複数個のアップデート領域のうち、最終的にアップデートされた情報が記録された最終アップデート領域を示す接近情報が記録される少なくとも１つの接近情報領域とを備え、前記接近情報は、前記各アップデート領域の位置情報、前記最終アップデート領域を示す第１フラグ情報、及び前記最終的にアップデートされた情報が前記最終アップデート領域のどの位置に記録されたかを示す第２フラグ情報を含み、前記接近情報は、１つの記録ブロックに反復して記録されたことを特徴とする。
【００１１】
前記課題をなすために、本発明のさらに他の側面による追記型ディスクは、所定順序によって使われ、アップデートされる所定類型の情報が記録される複数個のアップデート領域と、前記複数個のアップデート領域の位置情報を含む接近情報が記録ブロック単位で記録される少なくとも１つの接近情報領域とを備え、前記接近情報が記録された記録ブロックの個数を利用し、前記複数のアップデート領域のうち、最終的にアップデートされた前記所定類型の情報が記録された最終アップデート領域を表し、前記接近情報は、１つの記録ブロックに反復して記録されたことを特徴とする。
【００１２】
前記他の課題をなすために、本発明の一側面によるデータ記録装置は、追記型ディスクに／から情報の記録／情報の読み出しを行う記録／読み出し部と、前記追記型ディスクに設けられた複数のアップデート領域のうち一つに、最終的にアップデートされた所定類型の情報を記録し、前記最終的にアップデートされた所定類型の情報が記録された最終アップデート領域を示すために、メイン接近情報を、前記ディスクに少なくとも一つ設けられたメイン接近情報領域に記録し、前記最終的にアップデートされた情報が前記最終アップデート領域のどの位置に記録されたかを示すために、補助接近情報を前記ディスクに少なくとも一つ設けられた補助接近情報領域に記録するように、前記記録／読み出し部を制御する制御部とを備え、前記制御部は、前記メイン接近情報を１つの記録ブロックに反復して記録するように、前記記録／読み出し部を制御することを特徴とする。
【００１３】
前記他の課題をなすために、本発明の他の側面によるデータ記録装置は、追記型ディスクに／から情報の記録／情報の読み出しを行う記録／読み出し部と、前記ディスクに設けられた複数のアップデート領域のうち一つに、最終的にアップデートされた所定類型の情報を記録し、前記最終的にアップデートされた所定類型の情報が記録された最終アップデート領域を示す接近情報を、前記ディスクに少なくとも一つ設けられた接近情報領域に記録するように、前記記録／読み出し部を制御する制御部とを備え、前記接近情報は、前記各アップデート領域の位置情報、前記最終アップデート領域を示す第１フラグ情報、及び前記最終的にアップデートされた情報が前記最終アップデート領域のどの位置に記録されたかを示す第２フラグ情報を含み、前記制御部は、前記接近情報を１つの記録ブロックに反復して記録するように、前記記録／読み出し部を制御することを特徴とする。
【００１４】
前記他の課題をなすために、本発明のさらに他の側面によるデータ記録装置は、所定順序によって使われる複数のアップデート領域、及び少なくとも１つの接近情報領域を具備した追記型ディスクへのデータ記録装置において、前記ディスクに／から情報の記録／情報の読み出しを行う記録／読み出し部と、前記複数のアップデート領域のうち１つの領域に、アップデートされた所定類型の情報を記録し、前記複数のアップデート領域の位置情報を含む接近情報を、前記接近情報領域に記録ブロック単位で記録するように前記記録／読み出し部を制御し、前記接近情報が記録された記録ブロックの個数を利用し、前記複数のアップデート領域のうち、最終的にアップデートされた前記所定類型の情報が記録された最終アップデート領域を示す制御部とを備え、前記制御部は、前記接近情報を１つの記録ブロックに反復して記録するように、前記記録／読み出し部を制御することを特徴とする。
【００１５】
前記他の課題をなすために、本発明の一側面による追記型ディスクにデータを記録する方法は、前記追記型ディスクに設けられた複数のアップデート領域のうち一つに、最終的にアップデートされた所定類型の情報を記録する段階と、前記最終的にアップデートされた所定類型の情報が記録された最終アップデート領域を示すために、メイン接近情報を前記ディスクに少なくとも一つ設けられたメイン接近情報領域に記録する段階と、前記最終的にアップデートされた情報が前記最終アップデート領域のどの位置に記録されたかを示すために、補助接近情報を前記ディスクに少なくとも一つ設けられた補助接近情報領域に記録する段階とを含み、前記メイン接近情報を記録する段階は、前記メイン接近情報を１つの記録ブロックに反復して記録することを特徴とする。
【００１６】
前記他の課題をなすために、本発明の他の側面による追記型ディスクにデータを記録する方法は、前記追記型ディスクに設けられた複数のアップデート領域のうち一つに、最終的にアップデートされた所定類型の情報を記録する段階と、前記最終的にアップデートされた所定類型の情報が記録された最終アップデート領域を示す接近情報を、前記ディスクに少なくとも一つ設けられた接近情報領域に記録する段階とを含み、前記接近情報は、前記各アップデート領域の位置情報、前記最終アップデート領域を示す第１フラグ情報、及び前記最終的にアップデートされた情報が前記最終アップデート領域のどの位置に記録されたかを示す第２フラグ情報を含み、前記接近情報を記録する段階は、前記接近情報を１つの記録ブロックに反復して記録することを特徴とする。
【００１７】
前記課題をなすために、本発明のさらに他の側面による追記型ディスクにデータを記録する方法は、所定順序によって使われる複数のアップデート領域、及び少なくとも１つの接近情報領域を具備した追記型ディスクへのデータ記録方法において、前記複数のアップデート領域のうち１つの領域に、アップデートされた所定類型の情報を記録する段階と、前記複数のアップデート領域の位置情報を含む接近情報を、前記接近情報領域に記録ブロック単位で記録することにより、前記接近情報が記録された記録ブロックの個数を利用し、前記複数のアップデート領域のうち、最終的にアップデートされた前記所定類型の情報が記録された最終アップデート領域を示す段階とを含み、前記最終アップデート領域を示す段階は、前記接近情報を１つの記録ブロックに反復して記録することを特徴とする。
【発明の効果】
【００１８】
追記型ディスクの使用に必要な所定類型の情報を読み出すための接近時間をさらに短縮できる。特に、追記型ディスクの使用のために必要なアップデートされた情報を記録するためのアップデート領域が複数個存在する場合、記録装置または再生装置は、複数のアップデート領域のうち、最終的にアップデートされた情報が記録されたアップデート領域を迅速、かつ容易に決定できる。さらに、本発明による接近情報の記録時、所定エラー訂正フォーマットによってエラー訂正符号化した後、エラー訂正符号化された接近情報を１つの記録単位ブロックに反復記録することにより、接近情報が反復記録された記録単位ブロックにスクラッチなどによる欠陥が発生する場合にも、接近情報の再生成功率を大きく引き上げることができる。
【発明を実施するための最良の形態】
【００１９】
以下、添付された図面を参照しつつ、本発明の一実施例について詳細に説明する。
【００２０】
図１Ａ及び図１Ｂは、本発明の一実施例による追記型ディスクの構造を示す図であり、図１Ａは、単一記録層追記型ディスクの構造を示す図であり、図１Ｂは、二重記録層追記型ディスクの構造を示す図である。
【００２１】
図１Ａに図示された単一記録層追記型ディスクは、内周から外周方向にリードイン領域、データ領域、及びリードアウト領域が順次に設けられる。
【００２２】
図１Ｂに図示された二重記録層追記型ディスクの最初の記録層Ｌ０及び二番目の記録層Ｌ１には、内周から外周方向に内側領域、データ領域、及び外側領域が順次に設けられる。
【００２３】
図２は、本発明の一実施例による単一記録層追記型ディスクのさらに詳細な構造を示す図である。図２を参照するに、リードイン領域には、第１ディスク管理領域（ＤＭＡ１：Ｄｉｓｃ  Ｍａｎａｇｅｍｅｎｔ  Ａｒｅａ  １）、第２ディスク管理領域（ＤＭＡ２：Ｄｉｓｃ  Ｍａｎａｇｅｍｅｎｔ  Ａｒｅａ  ２）、第１臨時ディスク管理領域（ＴＤＭＡ１：Ｔｅｍｐｏｒａｒｙ  Ｄｉｓｃ  Ｍａｎａｇｅｍｅｎｔ  Ａｒｅａ  １）、接近情報領域（ＡＩＡ：Ａｃｃｅｓｓ  Ｉｎｆｏｒｍａｔｉｏｎ  Ａｒｅａ）、及び記録条件テスト領域などが設けられる。リードアウト領域には、第３ディスク管理領域（ＤＭＡ３）及び第４ディスク管理領域（ＤＭＡ４）などが設けられる。さらに、リードアウト領域には、臨時欠陥管理領域、記録条件テスト領域、または接近情報領域のうち、少なくとも一つをさらに設けることができる。整理すれば、接近情報領域、ディスク管理領域、臨時ディスク管理領域、及び記録条件テスト領域は、それぞれリードイン領域またはリードアウト領域のうち、少なくとも１つの領域に少なくとも一つ存在できる。
【００２４】
接近情報領域は、追記型ディスクの使用のために、記録及び／または再生装置が得ねばならない欠陥管理に関する情報などのアップデート情報が記録された位置を知らせる接近情報を記録するための領域である。接近情報、及び接近情報領域については後述する。
【００２５】
データ領域には、第１スペア領域、ユーザデータ領域、第２臨時ディスク管理領域（ＴＤＭＡ２：Ｔｅｍｐｏｒａｒｙ  Ｄｉｓｃ  Ｍａｎａｇｅｍｅｎｔ  Ａｒｅａ  ２）、及び第２スペア領域が設けられる。
【００２６】
リードイン領域に設けられたＴＤＭＡ１は、本実施例による追記型ディスクの規格によって製作時に設けられたものである。しかし、データ領域に設けられたスペア領域１、ＴＤＭＡ２及びスペア領域２は、追記型ディスクの初期化過程でユーザの選択によってデータ領域に割り当てられる。
【００２７】
図３Ａ及び図３Ｂは、本発明の一実施例による二重記録層追記型ディスクのさらに詳細な構造を示す図であり、図３Ａは、記録層Ｌ０の構造を示す図であり、図３Ｂは、記録層Ｌ１の構造を示す図である。図３Ａに図示された記録層Ｌ０の構造は、図２に図示された単一記録層追記型ディスクの構造と同一である。図３Ｂに図示された記録層Ｌ１の構造は、記録層Ｌ０の構造と類似しているが、第２内側領域には、接近情報領域が設けられておらず、第２データ領域には、臨時ディスク管理領域が二つ設けられているという点で違いがある。
【００２８】
また、本実施例による追記型ディスクは、ＴＤＭＡ１ないしＴＤＭＡ５の全５個のＴＤＭＡが設けられている。ＴＤＭＡ１とＴＤＭＡ２との位置及びサイズは、記録装置及び／または再生装置がすでに知っている領域である。しかし、ＴＤＭＡ３、ＴＤＭＡ４及びＴＤＭＡ５は、追記型ディスクの使用のためのディスク初期化時点で、ユーザまたは記録装置及び／または再生装置によりデータ領域に割り当てられる。そして、ＴＤＭＡ１からＴＤＭＳを記録する場合、データ領域に割り当てられたＴＤＭＡのサイズと位置情報とを含むＴＤＤＳがＴＤＭＡ１に記録される。
【００２９】
図４Ａ及び図４Ｂは、本発明の他の実施例による二重記録層追記型ディスクのさらに詳細な構造を示す図であり、図４Ａは、記録層Ｌ０の構造を示す図であり、図４Ｂは、記録層Ｌ１の構造を示す図である。図４Ａ及び図４Ｂに図示された二重記録層追記型ディスクには、ＴＤＭＡ１、ＴＤＭＡ２及びＴＤＭＡ５が割り当てられている。すなわち、図４Ａ及び図４Ｂに図示された二重記録層追記型ディスクは、ディスクの使用のためのディスク初期化時点で、ユーザまたは記録及び／または再生装置によりデータ領域２にＴＤＭＡ５だけ割り当てられた追記型ディスクを示す。
【００３０】
以下、追記型ディスクに設けられた臨時ディスク管理領域などの各領域及び各領域にデータを記録する過程について説明する。
【００３１】
臨時ディスク管理領域（ＴＤＭＡ）は、追記型ディスクの最終化（ｆｉｎａｌｉｚａｔｉｏｎ）以前に、追記型ディスクの管理のための臨時管理情報（ＴＤＭＳ：Ｔｅｍｐｏｒａｒｙ  Ｄｉｓｃ  Ｍａｎａｇｅｍｅｎｔ  Ｓｔｒｕｃｔｕｒｅ）を記録するための領域である。追記型ディスクの最終化とは、追記型ディスクにそれ以上データを記録できないようにする動作をいう。ユーザの選択により、追記型ディスクにそれ以上データを記録しないか、または追加でデータを記録できない場合、追記型ディスクは最終化される。
【００３２】
臨時管理情報は、臨時欠陥情報（ＴＤＦＬ：Ｔｅｍｐｏｒａｒｙ  ＤｅＦｅｃｔ  Ｌｉｓｔ）、臨時ディスク管理情報（ＴＤＤＳ：Ｔｅｍｐｏｒａｒｙ  Ｄｉｓｃ  Ｄｅｆｉｎｉｔｉｏｎ  Ｓｔｒｕｃｔｕｒｅ）、及びスペースビットマップ（ＳＢＭ：Ｓｐａｃｅ  Ｂｉｔ  Ｍａｐ）を含む。臨時欠陥情報（ＴＤＦＬ）は、欠陥が発生した領域がどこであるかを知らせる情報と、新しく代替された領域がどこであるかを知らせる情報とにより構成される。臨時ディスク管理情報（ＴＤＤＳ）は、臨時欠陥情報を管理するための情報であり、対応する臨時欠陥情報が記録された位置を知らせる位置ポインタ、対応するスペースビットマップが記録された位置を知らせる位置ポインタ、データ領域内に割り当てられたスペア領域の位置及びサイズ情報、データ領域内に割り当てられた臨時ディスク管理領域の位置及びサイズ情報を含む。スペースビットマップ（ＳＢＭ）は、データ記録単位であるクラスタ単位でデータが記録されたクラスタと、記録されていないクラスタとにそれぞれ異なるビット値を割り当てることにより、追記型ディスクのデータ記録状態をビットマップで表した情報である。
【００３３】
追記型ディスクが記録及び／または再生装置にローディングされれば、その装置は、ディスクの使用のために、最終的にアップデートされた臨時管理情報、特に臨時ディスク管理情報（ＴＤＤＳ）をそのディスクから迅速に読み出して再生することが要求される。
【００３４】
一般的に、記録及び／または再生装置は、ディスクが装置にローディングされれば、リードイン領域及び／またはリードアウト領域にある情報を読み出し、ディスクをどのように管理して記録するか、または再生しなければならないかを把握する。リードイン領域及び／またはリードアウト領域に記録された情報の量が多くなるほど、ディスクをローディングした後、記録または再生を準備するためにかかる時間が長くなるという問題が発生する。従って、前述の臨時管理情報の概念を導入し、ディスクへのデータ記録、または再生中に発生した臨時管理情報を欠陥管理領域と別個にリードイン領域及び／またはリードアウト領域に設けられた臨時ディスク管理領域に記録しておく。
【００３５】
追記型ディスクを最終化する場合、それまで臨時ディスク管理領域に記録された臨時管理情報、すなわち臨時欠陥情報及び臨時ディスク管理情報を最終的にディスク管理領域（ＤＭＡ）に記録する。これは、ディスクを最終化する場合、何回か更新されて記録された臨時欠陥情報、及び臨時ディスク管理情報のうち、最終的に有意味である情報だけをディスク管理領域に移すことにより、記録または再生装置が今後に欠陥管理領域から最終的に有意味である情報だけを読み出すようにし、さらに速い追記型ディスクの使用のための情報接近が可能であるという長所があるためである。
【００３６】
図５Ａ及び図５Ｂは、本発明の一実施例によってユーザデータ領域とスペア領域とにデータが記録される過程を説明するための図である。
【００３７】
図５Ａを参照するに、ユーザデータ領域を意味し、図５Ｂは、スペア領域を意味する。ユーザデータ領域にユーザデータを記録する方式は、連続記録モード、またはランダム記録モードによる。連続記録モードは、ユーザデータを順次に連続して記録するものであり、ランダム記録モードは、必ずしも連続的に記録するものではなくしてランダムに記録するものをいう。（１）ないし（７）は、それぞれ記録後検証の作業が行われる単位を指す。
【００３８】
記録装置は、ユーザデータを区間（１）ほど記録した後、区間（１）の最初の部分に戻ってデータが正しく記録されたか、あるいは欠陥が発生したか否かを確認する。欠陥が発生した部分が発見されれば、その部分を欠陥領域に指定する。これにより、欠陥領域である欠陥＃１が指定される。また、記録装置は、欠陥＃１に記録されたデータをスペア領域にリライト。欠陥＃１に記録されたデータがリライトされた部分は、代替＃１という。次に、記録装置は、区間（２）ほどユーザデータを記録した後、ふたたび区間（２）の最初の部分に戻ってデータが正しく記録されたか、あるいは欠陥が発生したか否かを確認する。欠陥が発生した部分が発見されれば、その部分は欠陥＃２に指定される。同様に、欠陥＃２に対応する代替＃２が生成される。また、区間（３）で、欠陥領域である欠陥＃３と代替＃３とが生成される。区間（４）では、欠陥が発生した部分が発見されずに欠陥領域が存在しない。
【００３９】
区間（４）まで記録して検証した後、記録オペレーション＃１の終了が予測されれば（ユーザがイジェクトボタンを押すか、または記録オペレーションに割り当てられたユーザデータ記録が完了すれば）、記録装置は、臨時欠陥情報＃１として、区間（１）ないし（４）までで発生した欠陥領域の欠陥＃１、＃２、＃３に関する情報を臨時ディスク管理領域に記録する。また、臨時欠陥情報＃１を管理するための管理情報を臨時ディスク管理情報＃１として臨時ディスク管理領域に記録する。本実施例で、記録オペレーションとは、ユーザの意思、行おうとする記録作業などにより決定される作業単位であり、本実施例では、追記型ディスクが記録装置にローディングされて所定情報の記録作業が行われた後、追記型ディスクが記録装置からアンローディングされるまでを指す。
【００４０】
再び追記型ディスクがローディングされれば、記録オペレーション＃２が始まり、記録条件テスト領域の記録条件をテストし、その結果を基にデータが記録される。すなわち、記録オペレーション＃２では、区間（５）ないし（７）まで前述の記録オペレーション＃１の場合と同じ方式でデータが記録され、欠陥＃４、＃５及び代替＃４、＃５が生成される。記録オペレーション＃２が終了すれば、記録装置は、臨時欠陥情報＃２として、欠陥＃４及び＃５に関する情報を記録する。また、臨時欠陥情報＃２を管理するための欠陥管理情報＃２で臨時ディスク管理領域に記録する。
【００４１】
図２、図３Ａ、図３Ｂ、図４Ａ及び図４Ｂに図示したように、追記型ディスクに臨時ディスク管理領域及びスペア領域が多数個設けられた場合、所定順序によって臨時ディスク管理領域またはスペア領域が使われる。例えば、図３Ａ及び図３Ｂに図示された二重記録層ディスクに適用されるデータ記録経路が記録層Ｌ０の第１内側領域から第１外側領域に、次いで記録層Ｌ１の第２外側領域から記録層Ｌ１の第２内側領域にデータを記録するＯＴＰ（Ｏｐｐｏｓｉｔｅ  Ｔｒａｃｋ  Ｐａｔｈ）である場合、スペア領域は、記録層Ｌ０のスペア領域１からデータが記録される。スペア領域１が全て使われれば、次にスペア領域２、３及び４の順序で使われる。
【００４２】
同様に、臨時管理情報は、記録層Ｌ０のＴＤＭＡ１から記録される。ＴＤＭＡ１が全て使われれば、記録層Ｌ１の第２内側領域に設けられたＴＤＭＡ２にアップデートしなければならない臨時管理情報を記録する。ＴＤＭＡ２も全て使われれば、記録層Ｌ０の第１データ領域に設けられたＴＤＭＡ３にアップデートしなければならない臨時管理情報を記録する。本実施例で、各記録層の内側領域に設けられたＴＤＭＡ１及びＴＤＭＡ２は、本実施例による追記型ディスクに必須的に設けられる。しかし、データ領域に設けられたＴＤＭＡは、ユーザの選択によって割り当てられることもあり、割り当てられないこともある領域である。従って、臨時管理情報は、各記録層の内側領域に設けられたＴＤＭＡから記録される。各記録層の内側領域に設けられたＴＤＭＡに全てデータが記録されれば、データ領域に割り当てられたＴＤＭＡが使われる。
【００４３】
最終的にアップデートされた臨時管理情報がデータ領域に割り当てられたＴＤＭＡに記録され、追記型ディスクが記録及び／または再生装置からアンローディングされた後、再びそのディスクが記録及び／または再生装置にローディングされた場合、記録及び／または再生装置は、ディスクの使用のために、最終的にアップデートされた臨時管理情報を得なければならない。しかし、臨時管理情報は、データ領域に割り当てられたＴＤＭＡに記録されており、記録及び／または再生装置は、臨時管理情報のうち、臨時ディスク管理情報（ＴＤＤＳ）にアクセスするまでは、データ領域にＴＤＭＡが割り当てられたということを知ることができないという問題が生じる。また、記録及び／または再生装置がデータ領域に割り当てられたＴＤＭＡに最終的にアップデートされた臨時管理情報が記録されたことを知っても、そのＴＤＭＡのサイズが大きければ、そのＴＤＭＡに記録された最終的な臨時管理情報をサーチするのに、長時間がかかるという問題が発生することもある。
【００４４】
従って、本発明は、かかる問題を解決するために、次のような二種の実施例を提示する。本実施例で、接近情報は、臨時管理情報、特に臨時ディスク管理情報（ＴＤＤＳ）のようなアップデート情報が記録された位置を知らせる情報をいう。また、アップデート情報とは、追記型ディスクが記録及び／または再生装置にローディングされた初期に、追記型ディスクの使用のために記録及び／または再生装置が認識しなければならない情報をいう。そして、アップデート情報が記録される領域をアップデート領域という。本実施例で、アップデート情報は、臨時ディスク管理情報（ＴＤＤＳ）、アップデート領域は、ＴＤＭＡの場合を例に取って説明する。
【００４５】
I．第１実施例
本発明の第１実施例では、メイン接近情報を記録するためのメイン接近情報領域（Ｍａｉｎ  Ａｃｃｅｓｓ  Ｉｎｆｏｒｍａｔｉｏｎ  Ａｒｅａ、以下、「メインＡＩＡ」とする）を追記型ディスクのリードイン領域または内側領域に少なくとも一つ設け、ＴＤＭＡに補助接近情報領域（ＳｕｂＡｃｃｅｓｓ  Ｉｎｆｏｒｍａｔｉｏｎ  Ａｒｅａ、以下、「サブＡＩＡ」とする）を割り当てる。
【００４６】
記録及び／または再生装置は、本実施例による追記型ディスクがローディングされれば、まず、メインＡＩＡにアクセスしてメイン接近情報を得る。記録及び／または再生装置は、メイン接近情報から最終的にアップデートされた臨時ディスク管理情報（ＴＤＤＳ）が記録されたＴＤＭＡを知った後、そのＴＤＭＡのサブＡＩＡに接近して補助接近情報を得る。記録及び／または再生装置は、補助接近情報から、ＴＤＭＡのどの部分に最終的にアップデートされた臨時ディスク管理情報（ＴＤＤＳ）が記録されたかを知りことができ、ＴＤＭＡで最終的にアップデートされた臨時ディスク管理情報（ＴＤＤＳ）をサーチするのにかかる時間を短縮させることができる。
【００４７】
図２、図３Ａ及び図４Ａに図示されたような追記型ディスクに設けられた接近情報領域は、本実施例によるメインＡＩＡとなる。メインＡＩＡに記録される接近情報の量及びアップデート回数は最小化し、メインＡＩＡのサイズを制限することが望ましい。メインＡＩＡのサイズが大きくなったり、または多数のメインＡＩＡを割り当てるならば、接近情報を得るのにかかる時間が長くなるためである。メイン接近情報のアップデート回数を最小化するために、最終的なＴＤＤＳが記録されているＴＤＭＡが変わるとき、メイン接近情報をメインＡＩＡの１つの記録単位ブロックに記録する。
【００４８】
図６は、臨時ディスク管理情報（ＴＤＤＳ）のデータ構造を示す図である。本実施例で、別途のメイン接近情報のデータ構造を定義せずに、ＴＤＤＳをメイン接近情報として利用する。前述のように、ＴＤＤＳは、追記型ディスクに設けられたＴＤＭＡの位置情報を含む。図３Ａ及び図３Ｂに図示したように、追記型ディスクにＴＤＭＡ１ないしＴＤＭＡ５が割り当てられた場合、ＴＤＤＳは、ＴＤＭＡ１ないしＴＤＭＡ５の位置情報を含む。
【００４９】
本実施例で、記録及び／または再生装置は、メインＡＩＡにＴＤＤＳが記録された記録単位ブロックの個数から、最終的なＴＤＤＳが記録されたＴＤＭＡを知ることができる。追記型ディスクにＴＤＭＡ１ないしＴＤＭＡ５が割り当てられ、ＴＤＭＡ１、ＴＤＭＡ２、ＴＤＭＡ３、ＴＤＭＡ４及びＴＤＭＡ５の順序によって使われる場合を例に挙げて詳細に説明する。まず、メインＡＩＡにメイン接近情報であるＴＤＤＳが全く記録されていないならば、記録及び／または再生装置は、最初のＴＤＭＡであるＴＤＭＡ１に最終的なＴＤＤＳが記録されていると認識する。
【００５０】
もし、メインＡＩＡの最初のブロックだけにＴＤＤＳが記録されているならば、記録及び／または再生装置は、二番目のＴＤＭＡであるＴＤＭＡ２に最終的なＴＤＤＳが記録されていると認識する。メインＡＩＡの最初及び二番目のブロックにＴＤＤＳが記録されているならば、記録及び／または再生装置は、三番目のＴＤＭＡであるＴＤＭＡ３に最終的なＴＤＤＳが記録されていると認識する。同様に、メインＡＩＡの最初から三番目のブロックまでＴＤＤＳが記録されているならばＴＤＭＡ４に、最初から四番目のブロックまでＴＤＤＳが記録されているならばＴＤＭＡ５に、最終的なＴＤＤＳが記録されていると記録及び／または再生装置は認識する。
【００５１】
前述のように、記録及び／または再生装置がメインＡＩＡにＴＤＤＳが記録された記録単位ブロックの個数から、最終的なＴＤＤＳが記録されたＴＤＭＡを識別した後、メインＡＩＡに最終的に記録されたＴＤＤＳを再生し、そのＴＤＤＳからＴＤＭＡについての位置情報を知ることができる。
【００５２】
本実施例によれば、メインＡＩＡのサイズは、追記型ディスクに設けられたＴＤＭＡの個数によって決定される。すなわち、追記型ディスクにＮ個のＴＤＭＡが存在する場合、メインＡＩＡは、少なくとも（Ｎ−１）個の記録単位ブロックを備える。
【００５３】
一方、メインＡＩＡにメイン接近情報として記録されるＴＤＤＳを１つの記録単位ブロックに反復記録することが望ましい。ＴＤＤＳのサイズが１セクタのサイズと同じ２Ｋバイトであり、記録単位ブロックのサイズが６４Ｋバイトである場合、１つのＴＤＤＳを１つの記録単位ブロックに３２回反復記録できる。米国特許第６，３６７，０４９号明細書には、セクタ単位のエラー訂正の可能なエラー訂正フォーマットが開示されている。米国特許第６，３６７，０４９号明細書に開示されたエラー訂正フォーマットにより、ＴＤＤＳを６４Ｋバイトサイズの記録単位ブロックに３２回反復記録するならば、ＴＤＤＳの再生成功率を非常に高めることができる。すなわち、接近情報であるＴＤＤＳが３２回反復記録された記録単位ブロックにスクラッチなどによるエラーが発生しても、３２個の同じＴＤＤＳのうち、ただ１つのＴＤＤＳがエラー訂正されるならば、データ記録及び／または再生装置は、接近情報を得ることができる。
【００５４】
以下では、サブＡＩＡ及び補助接近情報について説明する。サブＡＩＡは、それぞれのＴＤＭＡの最初のブロックから割り当てられ、そのサイズは、サブＡＩＡの属するＴＤＭＡがいくつのサブ領域に分割されているかによって決定される。
【００５５】
図７は、サブＡＩＡと多数のサブ領域とに分割されたＴＤＭＡの一例を示す図である。メインＡＩＡの場合と同一に、補助接近情報としてはＴＤＤＳを利用し、記録及び／または再生装置がサブＡＩＡにＴＤＤＳが記録された記録単位ブロックの個数から最終的なＴＤＤＳが記録されたＴＤＭＡ内のサブ領域を識別する。
【００５６】
一方、メインＡＩＡにメイン接近情報を記録するときと同様に、補助接近情報として記録されるＴＤＤＳを１つの記録単位ブロックに反復記録することもできる。
【００５７】
図７に図示したように、ＴＤＭＡがサブＴＤＭＡ１ないしサブＴＤＭＡ  Ｍに分割され、サブＴＤＭＡ１からサブＴＤＭＡ  Ｍ側に順次にサブ領域が使われる場合において、サブＡＩＡにＴＤＤＳが全く記録されていないならば、記録及び／または再生装置は、最初のサブＴＤＭＡのサブＴＤＭＡ１に最終的なＴＤＤＳが記録されていると認識する。
【００５８】
サブＡＩＡの最初のブロックだけにＴＤＤＳが記録されているならば、記録及び／または再生装置は、サブＴＤＭＡ２に最終的なＴＤＤＳが記録されていると認識する。サブＡＩＡの最初及び二番目のブロックにＴＤＤＳが記録されているならば、記録及び／または再生装置は、三番目のサブＴＤＭＡであるサブＴＤＭＡ３に最終的なＴＤＤＳが記録されていると認識する。本実施例によれば、各ＴＤＭＡに設けられたサブＡＩＡのサイズは、ＴＤＭＡ内に含まれたサブ領域の個数によって決定される。すなわち、Ｍ個のサブ領域がＴＤＭＡに存在する場合、サブＡＩＡは、少なくとも（Ｍ−１）個の記録単位ブロックを備えていなければならない。
【００５９】
図８は、本発明の一実施例によるメインＡＩＡとサブＡＩＡとを示す図である。本実施例による追記型ディスクは、図４Ａ及び図４Ｂに図示したように、ディスク使用のための初期化時に、データ領域内のＴＤＭＡ５だけ割り当てられたディスクである。メインＡＩＡは、４個の記録単位ブロックを備える。本実施例で、ＴＤＭＡ５は、３５，０００個ブロックサイズを有し、４０００個のブロック単位に分割され、全９個のサブ領域を備える。従って、前述のように、サブＡＩＡは、８個の記録単位ブロックを備える。
【００６０】
本実施例による追記型ディスクの初期化時及びＴＤＭＡ１が使われるときには、メイン接近情報がメインＡＩＡに記録されない。その後、最終的なＴＤＤＳが記録される位置がＴＤＭＡ２に変更されれば、記録及び／または再生装置は、メインＡＩＡの最初のブロックにＴＤＤＳを記録し、最終的なＴＤＤＳがＴＤＭＡ２に記録されているということを示す。
【００６１】
その後、最終的なＴＤＤＳが記録される位置がＴＤＭＡ５に変更されれば、記録及び／または再生装置は、メインＡＩＡの二番目、三番目及び四番目ブロックにＴＤＤＳを記録し、最終的なＴＤＤＳがＴＤＭＡ５の最初のサブ領域に記録されているということを示す。
【００６２】
図９Ａ及び図９Ｂは、本発明の他の実施例によるサブＡＩＡを示す図である。本実施例による追記型ディスクは、図３Ａ及び図３Ｂに図示したように、ディスク使用のための初期化時に、データ領域にＴＤＭＡ３ないしＴＤＭＡ５が割り当てられたディスクである。従って、前述のように、ＴＤＭＡが５個割り当てられているので、メインＡＩＡは、４個の記録単位ブロックを備える。本実施例で、ＴＤＭＡ３及びＴＤＭＡ４は、１６，０００個のブロックサイズを有し、ＴＤＭＡ５は、図８に図示したように、３５，０００個のブロックサイズを有する。
【００６３】
図９Ａは、ＴＤＭＡ３の構造を示す図であり、図９Ｂは、ＴＤＭＡ４の構造を示す図である。本実施例によるＴＤＭＡ３は、４個のサブ領域を含む。従って、ＴＤＭＡ３に含まれたサブＡＩＡは、３個の記録単位ブロックを備えるサイズを有する。ＴＤＭＡ４も同一なので、ＴＤＭＡ４に備えられたサブＡＩＡも、３個の記録単位ブロックを備えるサイズを有する。
【００６４】
ＴＤＭＡ５は、４，０００個の記録単位ブロックの単位に分割され、全９個のサブ領域を備える。従って、前述のように、サブＡＩＡは、８個の記録単位ブロックを備える。
【００６５】
前述のように、本発明の第１実施例により、メインＡＩＡにメイン接近情報を記録し、サブＡＩＡにサブ接近情報を記録することにより、記録及び／または再生装置は、最終的なＴＤＤＳが記録された位置によってさらに速くアクセスできる。
【００６６】
記録及び／または再生装置が、本実施例によるメイン接近情報及びサブ接近情報から、最終的なＴＤＤＳが記録された位置にアクセスする動作についてさらに詳細に説明する。
【００６７】
本実施例により、メイン接近情報及びサブ接近情報が記録された追記型ディスクが記録及び／または再生装置にローディングされれば、該装置は、メインＡＩＡに接近する。もし、メインＡＩＡに情報が全く記録されていないならば、該装置は、最終的なＴＤＤＳがＴＤＭＡ１に記録されていすか、または空ディスクであると判断した後、ＴＤＭＡ１に接近する。ＴＤＭＡ１に何らのデータも記録されていないならば、空ディスクであると認識し、ディスク使用のための初期化を進める。そうでなければ、ＴＤＭＡ１から最終的なＴＤＤＳを得る。
【００６８】
記録及び／または再生装置は、メインＡＩＡにデータが記録されているならば、最後に記録されたブロックをアクセスしてＴＤＤＳを再生する。記録及び／または再生装置は、最後に記録されたブロックが何番目ブロックであるかを把握し、最終的なＴＤＤＳがどのＴＤＭＡに記録されているかを把握する。また、再生されたＴＤＤＳから、最終的なＴＤＤＳが記録されたＴＤＭＡのサイズを知り、そのサイズ情報から、そのＴＤＭＡへのサブＡＩＡの割当いかんと、割り当てられたとすれば、そのサブＡＩＡのサイズとを知ることができる。最終的なＴＤＤＳが記録されたＴＤＭＡに、サブＡＩＡが割り当てられていないならば、そのＴＤＭＡから最終的なＴＤＤＳを探す。
【００６９】
しかし、サブＡＩＡが割り当てられているとすれば、サブＡＩＡに接近し、何番目のブロックまでデータが記録されているかを把握し、最終的なＴＤＤＳが記録されたＴＤＭＡの何番目のサブ領域に最終的なＴＤＤＳが記録されているかを知ることができる。
【００７０】
II．第２実施例
本発明の第２実施例では、第１実施例とは異なり、サブＡＩＡを割り当てずに、接近情報を記録するための接近情報領域（Ａｃｃｅｓｓ  Ｉｎｆｏｒｍａｔｉｏｎ  Ａｒｅａ、以下、「ＡＩＡ」とする）を追記型ディスクのリードイン領域または内側領域に、少なくとも一つ設ける。
【００７１】
図１０は、本発明の一実施例による接近情報のデータ構造を示す図である。本実施例による接近情報は、ＴＤＤＳのデータ構造を利用する。しかし、本実施例によるＴＤＤＳには、最終的なＴＤＤＳが記録されたＴＤＭＡの位置情報を示すフラグがさらに含まれる。
【００７２】
本実施例で、前記フラグは、最終的なＴＤＤＳが記録されたＴＤＭＡを示す第１フラグ情報と、第１フラグ情報が示すＴＤＭＡのどの部分に最終的なＴＤＤＳが記録されているかを示す第２フラグ情報とを含む。
【００７３】
本実施例による第１フラグ情報は、ｂ４ないしｂ７の４個のビットからなる。例えば、ｂ４ないしｂ７が「００００ｂ」ならばＴＤＭＡ１に、「０００１ｂ」ならばＴＤＭＡ２に、「００１０ｂ」ならばＴＤＭＡ３に、「０１００ｂ」ならばＴＤＭＡ４に、そして「１０００ｂ」ならばＴＤＭＡ５に、最終的なＴＤＤＳが記録されているということを示すと定義できる。
【００７４】
本実施例による第２フラグ情報は、ｂ０ないしｂ３の４個のビットからなる。第１フラグ情報がＴＤＭＡ５を指し、ＴＤＭＡ５が５個のサブ領域に分割された場合を例に挙げて第２フラグ情報を説明する。ｂ０ないしｂ３が「００００ｂ」ならば最初のサブ領域に、「０００１ｂ」ならば二番目のサブ領域に、「００１０ｂ」ならば三番目のサブ領域に、「０１００ｂ」ならば四番目のサブ領域に、そして「１０００ｂ」ならば五番目のサブ領域に、最終的なＴＤＤＳが記録されているということを示すと定義できる。
【００７５】
本実施例による、接近情報として使われたＴＤＤＳの記録時に、ＴＤＤＳの再生成功率を高めるために、１つの記録ブロックに反復記録することが望ましい。
【００７６】
III．第３実施例
本実施例は、前述の本発明の第１実施例と類似している。ただし、本実施例では、サブ接近情報を追記型ディスクに記録しないという点で第１実施例と異なる。よって、本実施例では、ＴＤＭＡにサブＡＩＡを割り当てずに、第１実施例でのメイン接近情報及びメイン接近情報領域は、それぞれ接近情報及び接近情報領域として表現される。
本実施例による追記型ディスクがローディングされた記録及び再生装置は、ユーザデータをデータ領域に記録し、臨時ディスク管理情報（ＴＤＤＳ）を複数のＴＤＭＡのうち、１つのＴＤＭＡに記録する。もし、以前のＴＤＤＳが記録されたＴＤＭＡがデータで全て満たされ、新しくアップデートされたＴＤＤＳを記録できなければ、使用順序により、複数のＴＤＭＡのうち、１つのＴＤＭＡに前記新しくアップデートされたＴＤＤＳを記録する。そして、前記新しくアップデートされたＴＤＤＳを接近情報として接近情報領域の１つの記録ブロックに記録する。
【００７７】
本実施例による追記型ディスクがローディングされた再生装置は、接近情報領域にアクセスし、接近情報が記録された記録ブロックの個数に基づき、複数のＴＤＭＡのうち最終的にアップデートされたＴＤＤＳが記録された最終ＴＤＭＡを決定する。その後、最終ＴＤＭＡに最後に記録された記録ブロックから、最終的にアップデートされた接近情報を得る。前記最終的にアップデートされた接近情報から最終的にアップデートされたＴＤＤＳが記録された最終ＴＤＭＡの位置情報を得る。最後に、前記最終ＴＤＭＡから最終的にアップデートされたＴＤＤＳを得る。接近情報領域に接近情報として記録されたＴＤＤＳは、アップデートされたＴＤＤＳを記録するＴＤＭＡが変更される場合だけ、接近情報領域に記録されるために、ＴＤＭＡに最終的にアップデートされたＴＤＤＳと異なることがある。
【００７８】
前述の実施例でのように、接近情報として利用されるＴＤＤＳの記録時、１つの記録ブロックに反復記録することが望ましい。ＴＤＤＳのサイズが１セクタのサイズと同じ２Ｋバイトであり、記録単位ブロックのサイズが６４Ｋバイトである場合、１つのＴＤＤＳを１つの記録単位ブロックに３２回反復記録できる。米国特許第６，３６７，０４９号明細書には、セクタ単位のエラー訂正の可能なエラー訂正フォーマットが開示されている。米国特許第６，３６７，０４９号明細書に開示されたエラー訂正フォーマットにより、ＴＤＤＳを６４Ｋバイトサイズの記録単位ブロックに３２回反復記録するならば、ＴＤＤＳの再生成功率を非常に高めることができる。
【００７９】
図１１は、本発明の一実施例によるデータ記録及び／または再生装置のブロック図である。図１１を参照するに、記録及び再生装置は、記録／読み出し部１、制御部２、及びメモリ部３を備える。記録／読み出し部１は、制御部２の制御により、追記型ディスク１００にデータを記録し、追記型ディスク１００に記録されたデータを読み出す。追記型ディスク１００は、前述のように、本発明の第１実施例ないし第３実施例による追記型ディスクである。
【００８０】
制御部２は、前述のような本発明によるメイン接近情報、補助接近情報または接近情報を追記型ディスク１００に記録するように、記録／読み出し部１を制御する。
【００８１】
一方、制御部２は、セクタ単位のエラー訂正の可能なエラー訂正フォーマットにより、メイン接近情報、補助接近情報または接近情報として利用されるＴＤＤＳをエラー訂正符号化した後、エラー訂正符号化されたＴＤＤＳを記録単位ブロックに反復記録するように、記録／読み出し部１を制御する。米国特許第６，３６７，０４９号明細書には、セクタ単位のエラー訂正の可能なエラー訂正フォーマットが開示されている。ＴＤＤＳのサイズが１セクタのサイズと同じ２Ｋバイトであり、記録単位ブロックのサイズが６４Ｋバイトである場合、１つのＴＤＤＳを１つの記録単位ブロックに３２回反復記録できる。
【００８２】
本発明の技術分野で当業者ならば、前述の本発明の第１実施例及び第２実施例の説明から本発明によるデータ記録／再生装置の動作を容易に理解することができるであろう。
【００８３】
以上、本発明についてその望ましい実施例を中心に説明した。本発明の属する技術分野で当業者は、本発明が本発明の本質的な特性から外れない範囲で変形された形態で具現できるということを理解することができるであろう。本発明の範囲は、前述の説明でなく特許請求の範囲に示され、それと同等な範囲内にあるあらゆる差異点は、本発明に含まれると解釈されねばならない。
【図面の簡単な説明】
【００８４】
【図１Ａ】本発明の一実施例による追記型ディスクの構造を示す図である。
【図１Ｂ】本発明の一実施例による追記型ディスクの構造を示す図である。
【図２】本発明の一実施例による単一記録層追記型ディスクのさらに詳細な構造を示す図である。
【図３Ａ】本発明の一実施例による二重記録層追記型ディスクのさらに詳細な構造を示す図である。
【図３Ｂ】本発明の一実施例による二重記録層追記型ディスクのさらに詳細な構造を示す図である。
【図４Ａ】本発明の他の実施例による二重記録層追記型ディスクのさらに詳細な構造を示す図である。
【図４Ｂ】本発明の他の実施例による二重記録層追記型ディスクのさらに詳細な構造を示す図である。
【図５Ａ】本発明の一実施例により、ユーザデータ領域とスペア領域とにデータが記録される過程を説明するための図である。
【図５Ｂ】本発明の一実施例により、ユーザデータ領域とスペア領域とにデータが記録される過程を説明するための図である。
【図６】本発明の第１実施例による臨時ディスク管理情報のデータ構造を示す図である。
【図７】サブＡＩＡと多数のサブ領域とに分割されたＴＤＭＡの一例を示す図である。
【図８】本発明の一実施例によるメインＡＩＡとサブＡＩＡとを示す図である。
【図９Ａ】本発明の他の実施例によるサブＡＩＡを示す図である。
【図９Ｂ】本発明の他の実施例によるサブＡＩＡを示す図である。
【図１０】本発明の一実施例による接近情報のデータ構造を示す図である。
【図１１】本発明の一実施例によるデータ記録／再生装置のブロック図である。
【図１Ａ】
2007522601.tif 000003
【図１Ｂ】
2007522601.tif 000004
【図２】
2007522601.tif 000005
【図３Ａ】
2007522601.tif 000006
【図３Ｂ】
2007522601.tif 000007
【図４Ａ】
2007522601.tif 000008
【図４Ｂ】
2007522601.tif 000009
【図５Ａ】
2007522601.tif 000010
【図５Ｂ】
2007522601.tif 000011
【図６】
2007522601.tif 000012
【図７】
2007522601.tif 000013
【図８】
2007522601.tif 000014
【図９Ａ】
2007522601.tif 000015
【図９Ｂ】
2007522601.tif 000016
【図１０】
2007522601.tif 000017
【図１１】
2007522601.tif 000018
【国際調査報告】
2007522601.tif 000019